(57)【要約】【課題】再生リストの単純化されたユーザ双方向型生成およびナビゲーションでＭＰ３を再生する。【解決手段】ファイルの選択された属性に従ってアレンジされた複数の記憶されたＭＰ３ファイル・シーケンスの第１の再生リストを順次再生する際に、ユーザが、シーケンスにおいて、選択されたＭＰ３ファイル出発ノードで、選択的に分岐して、選択された属性と異なる属性に従ってアレンジされた複数の記憶されたＭＰ３ファイル・シーケンスの第２の再生リストを順次再生することが可能な手段と、出発ノードを記憶する手段と、ユーザが、出発ノードに戻って、出発ノードから第１の再生リストを再生し続ける手段との組み合わせを提供する。【選択図】図１
2007328337.tif 000002
【特許請求の範囲】
【請求項１】
記憶されたＭＰ３ファイルを再生する携帯デバイスであって、
前記ファイルの選択された属性に従ってアレンジされた記憶された複数のＭＰ３ファイル・シーケンスの第１の再生リストを順次再生する手段と、
前記シーケンスにおいて、選択されたＭＰ３ファイル出発ノードで、ユーザが選択的に分岐して、前記選択された属性と異なる属性に従ってアレンジされた前記記憶された複数のＭＰ３ファイル・シーケンスの第２の再生リストを順次再生することが可能な手段と、
前記出発ノードを記憶する手段と、
前記ユーザが前記出発ノードに戻って、前記出発ノードから前記第１の再生リストの再生を続けることを可能にする手段とを含む改良点を有する、携帯デバイス。
【請求項２】
前記ユーザが、前記第２の再生リスト・シーケンスにおいて、選択された第２の出発ノードで、選択的に分岐して、前記第２の再生リストの属性と異なる属性に従ってアレンジされた前記記憶された複数のＭＰ３ファイル・シーケンスの第３の再生リストを順次再生することが可能な手段と、
前記第２の出発ノードを記憶する手段と、
ユーザが選択された出発ノードに戻って、前記出発ノードから出発された再生リストを再生し続けることを可能にする手段とをさらに有する、請求項１の記憶されたＭＰ３ファイルを再生する携帯デバイス。
【請求項３】
前記属性および前記異なる属性は、それぞれ、少なくとも１つの属性のセットを含む、請求項１の記憶されたＭＰ３ファイルを再生する携帯デバイス。
【請求項４】
前記第２の再生リストの属性と異なる前記属性は、少なくとも１つの属性のセットを含む、請求項２の記憶されたＭＰ３ファイルを再生する携帯デバイス。
【請求項５】
前記記憶されたＭＰ３ファイルはオーディオ・ファイルであり、前記再生用手段はオーディオである、請求項３の記憶されたＭＰ３ファイルを再生する携帯デバイス。
【請求項６】
携帯デバイスで、記憶された圧縮オーディオ・ファイルを再生する方法であって、
前記ファイルの選択された属性に従ってアレンジされた前記記憶された複数の圧縮オーディオ・ファイル・シーケンスの第１の再生リストを順次再生するステップと、
ユーザが、前記シーケンスにおいて、選択された圧縮オーディオ・ファイル出発ノードで、選択的に分岐して、前記選択された属性と異なる属性に従ってアレンジされた前記記憶された複数の圧縮オーディオ・ファイル・シーケンスの第２の再生リストを順次再生することを可能にすることと、
前記出発ノードを記憶することと、
ユーザが、前記出発ノードに戻って、前記出発ノードから前記第１の再生リストを再生し続けることを可能にすることと、を有する、方法。
【請求項７】
前記圧縮オーディオ・ファイルはＭＰ３ファイルである、請求項６の記憶された圧縮オーディオ・ファイルを再生する方法。
【請求項８】
ユーザが、前記第２の再生リスト・シーケンスにおいて、選択された第２の出発ノードで、選択的に分岐して、前記第２の再生リストの属性と異なる属性に従ってアレンジされた前記記憶された複数のＭＰ３ファイル・シーケンスの第３の再生リストを順次再生することを可能にすることと、
前記第２の出発ノードを記憶することと、
ユーザが、選択された出発ノードに戻って、前記出発ノードから前記出発された再生リストを再生し続けることを可能にすることをさらに有する、請求項７の記憶されたＭＰ３ファイルを再生する方法。
【請求項９】
前記属性および前記異なる属性は、それぞれ、少なくとも１つの属性のセットを含む、請求項７の記憶されたＭＰ３ファイルを再生する方法。
【請求項１０】
前記第２の再生リストの属性と異なる前記属性は、少なくとも１つの属性のセットを含む、請求項８の記憶されたＭＰ３ファイルを再生する方法。
【請求項１１】
携帯デバイスにおいて、記憶された圧縮オーディオ・ファイルを再生するコンピューターに、
前記ファイルの選択された属性に従ってアレンジされた複数の前記記憶された圧縮オーディオ・ファイル・シーケンスの第１の再生リストを順次再生することと、
ユーザが、前記シーケンスにおいて、選択された圧縮オーディオ・ファイル出発ノードで、選択的に分岐して、前記選択された属性と異なる属性に従ってアレンジされた複数の前記記憶された圧縮オーディオ・ファイル・シーケンスの第２の再生リストを順次再生することが可能なことと、
前記出発ノードを記憶することと、
ユーザが、前記出発ノードに戻って、前記出発ノードから前記第１の再生リストを再生し続けることを可能にすることとを実行させる、コンピュータ・プログラム。
【請求項１２】
記憶されたＭＰ３ファイルを再生する携帯デバイス内の、コンピューター制御ユーザ・ディスプレイ・インターフェースであって、
前記ファイルの選択された属性に従ってアレンジされた複数の前記記憶されたＭＰ３ファイル・シーケンスの第１の再生リストを順次再生する手段と、
ユーザが、前記シーケンスにおいて、選択されたＭＰ３ファイル出発ノードで、選択的に分岐することができ、前記選択された属性と異なる属性に従ってアレンジされた複数の前記記憶されたＭＰ３ファイル・シーケンスの第２の再生リストを順次再生することが可能な手段と、
前記出発ノードを記憶する手段と、
ユーザが前記出発ノードに戻って、前記出発ノードから前記第１の再生リストを再生し続けることを可能にする手段と、を有する、コンピューター制御ユーザ・ディスプレイ・インターフェース。
【発明の詳細な説明】
【技術分野】
【０００１】
本発明は、ＭＰ３プレーヤの音楽ファイルの再生、特に、ＭＰ３音楽ファイルの再生リストを介した、単純化された生成およびナビゲーションに関する。また本発明は、米国特許出願（１１／４２１１０６号）に関連する。
【背景技術】
【０００２】
過去数年にわたって、家電産業は、ＭＰ３プレーヤ、および順に再生可能な音楽タイトルまたはＭＰ３ファイル、つまり、そのようなプレーヤ上の再生リストについてほとんど前例のない需要に直面してきた。音楽タイトルおよびＭＰ３ファイル、もしくは音楽タイトルまたはＭＰ３ファイルとは、２分または３分から１時間程度の通常アルバムサイズの録音を含む楽曲またはユニットからの記録された音楽プレゼンテーションを指す。ＭＰ３は、ＭＰＥＧ、Ｌｅｖｅｌ３の省略表現である。ＭＰ３は、多数のＭＰ３プレーヤ・デバイスが消費者市場を飽和させる今日流行の音楽流通標準として、コンパクト・ディスクに大きく取ってかわりつつある。ＭＰ３は、家電産業で集められた標準である。ＭＰ３は、ＭＰＥＧオーディオ標準下で提供される高圧縮を利用し、今日のＭＰ３ハードウェアの基礎として機能するファイル・システムの基礎としてそれを使用する。
【０００３】
ＭＰ３の利点は単に圧縮である。それは、オーディオ・ファイルを生デジタル・オーディオが必要とするスペースの約１／２０に収める。その結果、公称でＷＡＶフォーマット下の５０ＭＢのファイルを要求する音楽がわずか約２〜３ＭＢしかとらない。より小さなファイルは送信時間がより少なくなることを意味し、インターネットを通じて合理的に全アルバムを送ることができるようになる。ソリッド・ステート・メモリＭＰ３プレーヤでは、音楽（数時間以上）の実質的な長さは、ソリッド・ステート・メモリにエンコードされ、アイポッド（商標）などの無可動部プレーヤで携帯することができる。それは、今日のＭＰ３音楽タイトル携帯プレーヤであるこれらのソリッド・メモリ・プレーヤである。さらに有利には、ＭＰ３ファイルのサイズの圧縮により、データは、リアル・タイムでファイルを再生するために必要なデータ転送速度を同様に低減することができる。２つのＣＤ品質のオーディオ・チャンネルを移動させるために約１．２ｍｂｉｔｓ／秒を必要する代わりに、ＭＰ３ファイルは、ほとんどＣＤ品質の再生のために必要なのは、わずか４０ｋｍｂｉｔｓ／秒のみである。
【０００４】
最も人気のあるＭＰ３プレーヤにおいて、ＭＰ３音楽タイトルまたはファイルは、現行では１ギガバイト（ＧＢ）程度の容量でソリッド・ステート・メモリに記憶されており、それは、約２４０の楽曲または歌に、あるいは２０枚ＣＤに一致する。さらに大きな容量を必要とするユーザのために、ＭＰ３プレーヤの中のメモリは、１０〜５０ギガバイト程度の容量を増やすプレーヤに組み入れられたコンパクト・ハードディスク・ドライブで補われてもよい。
【特許文献１】米国特許出願１１／４２１１０６号
【発明の開示】
【発明が解決しようとする課題】
【０００５】
音楽ファイルまたはタイトル用のこの大きな容量により、ユーザは、小さなＭＰ３プレーヤに膨大なデータを持ち運ぶことができる。ユーザは、事実上、巨大な音楽ファイル図書館をカバンに入れているようなものである。ＭＰ３産業は、ユーザ、特に携帯ＭＰ３プレーヤのユーザが、聞く楽しみを中断して再生リストをナビゲートおよび生成する負担を有することなく、好きな時に望むファイルを見つけて再生できるよう、記憶されたＭＰ３ファイルの潜在的に巨大なライブラリ全体を便利に分類またはナビゲートすることを可能とするタスクを有する。
【課題を解決するための手段】
【０００６】
本発明は、ＭＰ３プレーヤのユーザが、聞く楽しみを中断して再生リストをナビゲートおよび生成する負担を有することなく、好きな時に望むファイルの再生リストを見つけて再生することができる実行を提供する。
【０００７】
本発明は、ファイルの選択された属性に従ってアレンジされた記憶された複数のＭＰ３ファイル・シーケンスの第１の再生リストを順次再生する従来の手段を対象とする。選択された属性と異なる属性に従ってアレンジされた記憶された複数のＭＰ３ファイル・シーケンスの第２の再生リストを順次再生するために、シーケンスにおいて選択されたＭＰ３ファイル出発ノードで、ユーザが選択的に分岐することができる手段と、出発ノードを記憶する手段と、出発ノードからの第１の再生リストの再生を続けるために、ユーザが出発ノードに戻ることを可能とする手段との組み合わせを提供する。
【０００８】
本発明のさらなる態様によれば、第２の出発ノードを記憶する手段、およびユーザが、選択された出発ノードに戻って、前記出発ノードからの出発された再生リストを再生し続けることを可能にする手段とともに、第２の再生リストの属性と異なる属性に従ってアレンジされた記憶された複数のＭＰ３ファイル・シーケンスの第３の再生リストを順次再生するために、ユーザが、第２の再生リスト・シーケンスにおいて選択された第２の出発ノードで、選択的に分岐することを可能とするさらなる手段を提供する。上記の機能は、再生リストを決定する個々の属性に関して記載されているが、再生リストを定義、または決定するために複数の属性のセットが使用されてもよい。
【０００９】
本明細書において、ＭＰ３ファイルという用語は、圧縮ディジタル媒体、例えば、再生リストを作成するために現行では一般的に用いられているオーディオ・ファイルを対象として使用されていることに留意すべきである。ＭＰ３ファイルは、不可逆圧縮ファイルである。使用することが可能な他の相当する圧縮ファイルは、アップル社によって使用される不可逆圧縮ファイルＡＣＣ、マイクロソフトによって使用される不可逆圧縮ファイルＷＭＡ、およびウィンドウインプリメンテーションを有する装置において共通の非損失圧縮ファイルＷＡＶである。
【００１０】
本発明は、添付の明細書と共に、以下の図面を参照することで一層よく理解され、当業者にとってその多くの目的および利点がより明らかとなる。
【発明を実施するための最良の形態】
【００１１】
図１を参照すると、本発明を実行することができるＭＰ３ファイルの従来のプレーヤ用のシステムとして機能することができる、一般的なデータ処理システムを示している。この説明の目的のために、ＭＰ３プレーヤは、アイポッド（商標）などの携帯型プレーヤとすることができる。プレーヤ・システム用のコントロール・システムは、以下のようにアクセスおよび論理を制御するために、特定の目的論理を提供することができるプレーヤ・ハウジング内においてコントローラ集積回路チップで具体化することができる。これらの論理チップまたは制御チップは、データ処理装置２０、ランダム・アクセス・メモリ（ＲＡＭ）２２（約２ＭＢのＲＡＭは一般的に設けられている）に記憶されたオペレーティング・システム、および一次プログラム可能メモリを提供する読み出し専用メモリ（ＲＯＭ）２１を含む。このプログラム可能ＲＯＭは、ＥＥＰＲＯＭ（例えば、フラッシュＥＥＰＲＯＭ１０）であってもよい。プレーヤを制御するルーチンおよびプログラムは、すべて、このフラッシュＥＥＰＲＯＭ２１に従来どおり記憶されてもよい。これらは、オペレーティング・システム、およびＲＡＭに従来どおり記憶することができる内蔵アプリケーションを含む。
【００１２】
本発明のプログラムは、このＥＥＰＲＯＭに都合よく含まれていてもよい。論理チップまたは制御チップは、また、本発明の要素を接続するシステム・バス１２を含む。システム・バス１２によって接続される従来の携帯電源（図示せず）によって電力がプレーヤに供給される。プロセッサー２０の制御下で、コンテンツ、つまり、ＲＯＭ２１（１ギガバイトまでのＥＥＰＲＯＭ）に記憶されたＭＰ３ファイルは、ＲＯＭ２１またはＲＡＭ２２に記憶されることが可能な本発明などのプログラムの制御下で再生されることになる。より高い記憶コンテンツのＭＰ３プレーヤ・デバイスでは、ディスク・ドライブ・アダプター１６を介してバス１２に接続されたハード・ドライブ１７に補助的な携帯ディスク・ドライブ記憶装置があってもよい。いかなる場合も、記憶されたＭＰ３ファイルは、バス１２を介して、記憶装置から再生リストが形成され順次再生されるＲＡＭ２２に移動される。ＭＰ３データは、解凍装置３０を介して解凍される。
【００１３】
解凍装置３０は、上記論理チップまたは制御チップに含まれていてもよい。提示されるＭＰ３ファイルが表す解凍されたデジタル・データは、デジタル／アナログ・コンバータ２３を通され、次いで、アンプ２９を介して、音声出力デバイス１８、１９にそれぞれ接続されている。音声出力は、スピーカまたは従来のイヤホンの形態であってもよい。本発明を実行することができる従来のユーザ・インターフェースは、ディスプレイ・アダプター１４を介して接続されたＬＣＤディスプレイ１５と同様に、Ｉ／Ｏアダプター１３を介してバス１２に接続された、従来の指で操作されるＩ／Ｏホイール１０および関連するボタン（続いて、図２に関連して説明される）を含む。以下、図２を参照して、本発明は、アイポッド（商標）などの携帯ＭＰ３ファイル再生デバイスに関して記載される。しかし、本発明の利点は、携帯プレーヤに最も有利である一方、ＭＰ３再生リストを介してのナビゲーションでの使用利便性の容易さは、また、アップルまたはウィンドウズのオペレーティング・システムを備えたデスクトップ・コンピュータなどの固定プレーヤにおいても有効であることが理解されるべきである。ＭＰ３プレーヤ３１は、ＬＣＤディスプレイ３０、および選択のために中心ボタン４３を押す間に、選択メニューを介してナビゲートする際に示されるように、回転可能なＩ／Ｏ選択ホイール３２を有する。ホイールはまた、プッシュ・ポイントのセット、つまりボタンのセット、メニューのセットを介して進むためのアップ３３、および後ろおよび前に進むポイント３３、３４を含む。それはまた、ポーズ（１１）ポイントを有する。
【００１４】
プログラミングを含む本発明の単純なオペレーションは、図３、４についてより詳細に説明し、そのオペレーションを説明するために、ユーザが、現行では順に再生されるＭＰ３タイトルまたはファイルの再生リストを選択したと仮定する。これまで選択された属性は任意であり、つまり、システムは、任意の順に、ＭＰ３ファイルを選択し再生する。図４のスクリーン３０は、これまで再生されるＭＰ３ファイルおよびその属性の４つ、楽曲３６のタイトル、アーティスト３７、アルバム３８およびジャンル３９を示した。
【００１５】
歌を再生するポイントでは、ユーザ／リスナーは、分岐することを決定するとともに、属性３６〜３９のうちの１つに基づいて再生リストを続行してもよい。この場合では、上述した任意の方法によって移動される矢印４４によって示されるように、リスナーは、アーティスト３７の再生リスト「ベニー・グッドマン・オーケストラ」を聞きたいと決めた。その選択を確認するために、プログラムは、選択されたアーティスト４１が強調表示４２により既に示された状態で、アーティストメニュー４０である図４のディスプレイ・スクリーン３０を提示した。ユーザは、中央ボタン４３を押して確認し、プログラムが、すぐに集結し、オリジナルの任意の属性よりはむしろアーティストに基づいた図３で示される再生リスト・ノードから有効に分岐するアーティストの再生リストの再生を開始する。アーティスト・ベースの再生リストが、すぐに順次再生されるとともに、図３のようなディスプレイ・スクリーンが、再生される各ＭＰ３ファイル用に提示されることとなる。ディスプレイ・スクリーンのこの列のうちのいずれか１つから、リスナーは、図３で示す他の属性に基づいて、他の再生リストに他の分岐を続行することが可能とされる。例えば、一連のベニー・グッドマンの歌を聞いた後に、リスナーが、「古典ジャズ」３９のジャンル属性からより多くのＭＰ３ファイルを聞きたいとリスナーが決めれば、リスナーは、上述される手順を行い、その再生リストに分岐する。プログラムは、再生リスト、ノードおよび分岐のすべてをトラックするので、リスナーは、図２〜４のインターフェースを介してのナビゲーションにより任意の分岐ノードに戻り、再生リストから切り替えられたものの再生を再開してもよい。
【００１６】
以下に、図５に示すプログラミングを参照すると、本発明のシステムおよびプログラムがどのようにセット・アップされるかを記載している。記憶されたＭＰ３ファイルを再生する従来のデバイスでは、ステップ５１で、ファイルの選択された属性に基づいて、ファイルの再生リストを再生する従来の実行を提供する。ステップ５２で、ユーザ／リスナーが、再生リストにおいて再生する任意のファイルから分岐して、出発ノードとして、再生リストを、オリジナルの再生リスト属性と異なる属性に基づいて順に再生することを可能とするための準備を行なう。ステップ５３で、個々のそのような出発ノードを記憶するための準備を行なう。ステップ５４で、ユーザが選択的に出発ノードに戻り、次いで再生リストから出発されたものを再生し続けることを可能とするための準備を行う。さらにステップ５５で、ユーザがさらに異なる属性に基づいてファイルの再生リストをさらに再生するために、出発ノードとして、続いて再生リストに分岐されたものにおいて再生する任意のファイルから選択的に分岐することを可能とする準備を行ってもよい。ステップ５６で、ユーザが、の選択された属性のセット、例えば、「ベニー・グッドマン・オーケストラ」および「古典ジャズ」にファイルの任意の選択された再生リストの基礎を形成することを可能にするための準備を行ってもよい。
【００１７】
図６のフロー・チャートを参照して、図５でセット・アップされたプロセスの単純化された例示的な実行を説明する。
【００１８】
ステップ６１で、第１の属性に基づいた再生リストが要求されたかどうかに関して、最初の決定を行う。はいの場合、ステップ６２で、再生リストをアセンブリし再生する。次いで、再生リストを再生するとともに、ステッ６３で、ユーザが他の属性または第２の属性に基づいた再生リスト分岐機能を選択したかどうかに関して継続的に決定を行う。いいえの場合、ステップ６２で、再生を継続する。はいの場合、ステップ６４で出発ノードを記憶し、ステップ６５で、第２の属性に基づいた再生リストをアセンブリし再生する。次いで、この次の再生リストを再生するとともに、ステップ６６で、ユーザがさらに別の属性に基づいたさらなる再生リスト分岐機能を選択したかどうかに関して継続的に決定を行う。いいえの場合、ステップ６５で、再生を継続する。はいの場合、ステップ６７で、出発ノードを記憶し、ステップ６８で、このさらに別の属性に基づいた再生リストをアセンブリし再生する。以下、出発ノード機能へのリターンに関して、ステップ６９で、ユーザが出発ノードに分岐したいかどうかに関して継続的に決定を行う。はいの場合、ユーザは、ステップ７０で出発ノードのエントリーを指示され、ステップ７１で、出発された再生リストを再生し続けるところからノードを戻す。どの時点でも、再生セッションが終わったかどうかに関して決定を行うことができる。はいの場合、ステップ７３で、セッションを終了する。いいえの場合、上述したように、再生を継続するステップ６６に分岐「Ａ」を介して再生を分岐する。
【００１９】
ある好ましい実施例を示し記載したが、添付の請求の範囲および意図から逸脱することなく、多くの変更および修正を行ってもよいことが理解される。
【図面の簡単な説明】
【００２０】
【図１】本発明の実施において使用することが可能なＭＰ３プレーヤ・デバイスを制御するシステムの概略図である。
【図２】本発明の実施において使用することが可能な従来の携帯ＭＰ３プレーヤ・デバイスのユーザ・インターフェース部を示す図である。
【図３】再生リストから一般に再生されるＭＰ３ファイルのいくつかの属性を再生する従来のＭＰ３プレーヤ上のディスプレイ・スクリーンを示す図である。
【図４】携帯ＭＰ３プレーヤで視聴者またはユーザが、再生されている（最初に選択された属性によって決定される）再生リストから、図３で再生されているＭＰ３の属性から選択された異なる属性によって決定された再生リストに分岐したい場合に、提示されるディスプレイ・インターフェースを説明する図である。
【図５】本発明による、シーケンス（再生リスト）の選択されたＭＰ３ファイル出発ノードから、異なる属性に基づいてアレンジされた第２の再生リストに、ユーザが選択的に分岐することを可能にするインプリメンテーションを形成するためのプログラミング機能のセット・アップについて説明する例示的フロー・チャートである。
【図６】図５による、セット・アップされたプログラムの例示的実行のフロー・チャートである。
【図１】
2007328337.tif 000003
【図２】
2007328337.tif 000004
【図３】
2007328337.tif 000005
【図４】
2007328337.tif 000006
【図５】
2007328337.tif 000007
【図６】
2007328337.tif 000008